(57)【特許請求の範囲】
【請求項１】
荷物の出し入れ用の開口を有するかごと、前記開口を開閉するかご戸とを備える小荷物用昇降機において、
前記かご戸には、その閉合状態をロックするロック機構が設けられ、
前記ロック機構は手動で操作する手動式で、かつ前記かご戸の前面に設置されていることを特徴とする小荷物用昇降機。
【請求項２】
前記かご戸は、一対の戸板が上下に移動することで前記開口を開閉し、前記ロック機構はその一方の戸板に回動可能に設けられた手動式のロックレバーと、他方の戸板に設けられた、前記ロックレバーと係脱可能な係合体とで構成され、前記ロックレバーが前記係合体に係合することで前記一対の戸板が突き当る閉合状態にロックされることを特徴とする請求項１に記載の小荷物用昇降機。
【発明の詳細な説明】
【技術分野】
【０００１】
この発明の実施形態は、小荷物を建屋の各階に搬送するための小荷物用昇降機に関する。
【背景技術】
【０００２】
小荷物用昇降機は、建屋の各階に渡って上下に延びる昇降路内に小荷物搬送用のかごを吊り下げてなる。かごは駆動装置としての巻上機により昇降路内で昇降移動するように運転される。建屋の各階には、荷物の出し入れ口が設けられ、この出し入れ口を通してかごに対する荷物の出し入れが行なわれる。
【０００３】
各階の出し入れ口には出し入れ戸が設けられ、またかごの前面にはかご戸が設けられている。かご戸は手動で開閉する簡易式の場合が多く、このような簡易式のかご戸にあっては特に施錠用のロック機構などは設けられていない。
【先行技術文献】
【特許文献】
【０００４】
【特許文献１】特開２００８−４４７２５号公報
【発明の概要】
【発明が解決しようとする課題】
【０００５】
ところが簡易式のかご戸の場合、かごの昇降移動中にかご内の荷物が荷崩れを起し、その荷物がかご戸に当る衝撃でかご戸が不用意に開き、荷物の一部がかごから突出し、昇降路の壁面に接触し、かごの運転に支障が生じるような恐れがある。
【０００６】
そこで、この発明の実施形態は、かご戸の不用意な開きを的確に防止して常にかごを支障なく運転することができる小荷物用昇降機を提供しようとするものである。
【課題を解決するための手段】
【０００７】
請求項１の発明は、荷物の出し入れ用の開口を有するかごと、前記開口を開閉するかご戸とを備える小荷物用昇降機において、前記かご戸には、その閉合状態をロックするロック機構が設けられ、前記ロック機構は手動で操作する手動式で、かつ前記かご戸の前面に設置されていることを特徴としている。
【０００８】
請求項２の発明は、前記かご戸が、一対の戸板を有し、その一対の戸板が上下に移動することで前記開口が開閉され、前記ロック機構はその一方の戸板に回動可能に設けられた手動式のロックレバーと、他方の戸板に設けられた、前記ロックレバーと係脱可能な係合体とで構成され、前記ロックレバーが前記係合体に係合することで前記一対の戸板が突き当る閉合状態にロックされることを特徴としている。
【図面の簡単な説明】
【０００９】
【図１】この発明の一実施形態に係る小荷物用昇降機の全体の構成を示す構成図。
【図２】その小荷物用昇降機における荷物の出し入れ口を示す斜視図。
【図３】その小荷物用昇降機における荷物搬送用のかごを示す正面図。
【図４】その荷物搬送用のかごのロック機構を示す正面図。
【図５】その小荷物昇降機で荷物を搬送する工程を順に示す流れ図。
【発明を実施するための形態】
【００１０】
以下、この発明の実施の形態について図面を参照して説明する。
【００１１】
図１には小荷物用昇降機の全体の構成を示してあり、建屋にはその各階に渡って上下に延びる昇降路１が形成され、この昇降路１内にかご２とつり合い重り３とがロープ４を介して吊り下げられている。昇降路１の上部には駆動装置としての巻上機５、及びこの巻上機５を制御する制御盤６が設置され、巻上機５のシーブ５ａにロープ４の途中が巻き掛けられ、シーブ５ａの回転でロープ４が走行してかご２とつり合い重り３とが昇降路１内で互いに逆方向に昇降移動する。
【００１２】
建屋の各階の壁面には、図２に示すように、昇降路１に通じる出し入れ口７が形成され、これら出し入れ口７にそれぞれ手動式の出し入れ戸８が設けられている。出し入れ戸８は、例えば上下動可能な一対の戸板８ａ，８ｂを備え、その上側の戸板８ａを手で上方に引き上げると、その戸板８ａに連動して下側の戸板８ｂが下方に移動し、また上側の戸板８ａを下方に引き下げると、下側の戸板８ｂがその上側の戸板８ａに連動して上方に移動し、このような戸板８ａ，８ｂの上下移動で出し入れ口７が開閉される構造となっている。
【００１３】
建屋の各階の出し入れ口７の脇には操作盤９が設けられ、この操作盤９にかご呼びボタン１０、行先階ボタン１１、かご位置表示パネル１２などが配設されている。これらかご呼びボタン１０、行先階ボタン１１、かご位置表示パネル１２は、巻上機５を制御する制御盤６に電気的に接続されている。
【００１４】
かご２は、図３に示すように、前面に荷物出し入れ用の開口１３を有する箱形をなし、その前面に開口１３を開閉する手動式のかご戸１４が設けられている。このかご戸１４は、かご２の前面に取り付けられた枠体１５と、この枠体１５の内側に上下に並んで配置された一対の戸板１６ａ，１６ｂとを備えている。枠体１５の両側の桟材はガイド部１７であり、これらガイド部１７間に戸板１６ａ，１６ｂが配置されている。戸板１６ａ，１６ｂの両側部にはガイドシュー１８が設けられ、これらガイドシュー１８がそれぞれガイド部１７に摺動自在に嵌合し、この嵌合で戸板１６ａ，１６ｂがガイド部１７に沿って上下に移動することが可能となっている。
【００１５】
枠体１５の上部両側には滑車２１が回転自在に取り付けられ、これら滑車２１にワイヤ２２が巻き掛けられている。これらワイヤ２２の一端側の端部は上側の戸板１６ａの両端部に連結され、他端側の端部は下側の戸板１６ｂにブラケット２３を介して連結されている。
【００１６】
通常時には、上側の戸板１６ａの下端と下側の戸板１６ｂの上端とが突き当たる閉合状態にあり、この閉合状態によりかご２の前面の開口１３が閉じられる。そしてこの閉合状態から上側の戸板１６ａを手で上方に引き上げると、ワイヤ２２の緩みで戸板１６ａに連動して下側の戸板１６ｂが自重で下方に移動し、この移動で両戸板１６ａ，１６ｂが互いに所定の距離だけ離間する開放状態となり、かご２の開口１３が開かれる。
【００１７】
また、この開放状態から上側の戸板１６ａを下方に引き下げると、ワイヤ２２の張力で戸板１６ａに連動して下側の戸板１６ｂが上方に移動し、その上側の戸板１６ａに下側の戸板１６ｂが突き当って閉合し、かご２の開口１３が閉じられる。
【００１８】
このかご戸１４には、図３及び図４に示すように、戸板１６ａ，１６ｂの閉合状態を保持する手動式のロック機構２６が設けられている。このロック機構２６は、例えば上側の戸板１６ａに設けられたロックレバー２７と、下側の戸板１６ｂに取り付けられた係合体２８とで構成されている。
【００１９】
ロックレバー２７はＬ形をなし、その中間部がピン３０を介して戸板１６ａに回動自在に取り付けられ、一端側端部が操作部３１、他端側の端部が係合部３２となっている。そして係合部３２の縁部の一部が傾斜縁３２ａとなっている。
【００２０】
ロックレバー２７を支持したピン３０には図４に示すようにスプリング３４が装着され、このスプリングによりロックレバー２７が反時計回り方向に弾性的に付勢されている。ロックレバー２７はストッパ３５に当接することでその回動範囲が規制され、通常時には係合部３２が戸板１６ａの下方側に突出する状態に保持される。
【００２１】
戸板１６ｂに設けられた係合体２８は、ロックレバー２７の係合部３２に対応する位置に設けられ、戸板１６ａ，１６ｂが互いに接近する方向に移動するときに、図４に鎖線で示すように係合部３２の傾斜縁３２ａが係合体２８の縁部に接触し、この接触でロックレバー２７がスプリング３４の弾性力に抗して時計回り方向に回動して係合部３２が係合体２８に係合し、この係合で戸板１６ａ，１６ｂの閉合状態がロックされる。
【００２２】
そして、ロック状態のロックレバー２７をその操作部に３１に手を掛け、スプリング３４の弾性力に抗して時計回り方向に回動することにより、係合部３２を係合体２８から外し、そのロックを解除することができるようになっている。
【００２３】
次に、荷物を搬送する手順について、図５に示す流れ図を参照して説明する。通常時には、各階の台入れ口７は出し入れ戸８により閉じられ、かご２の開口１３はかご戸１４により閉じられ、そのカゴ戸４がロック機構２６によりロックされている。
【００２４】
荷物の搬送時には、その荷物の搬送元の階において、まず操作盤９のかご呼びボタン１０を押してかご呼びの操作を行なう（Ｓ１）。この操作に応じてかご２がその階に到着した後には、出し入れ戸８を開放し、次にかご２のロック機構２６を解除し、さらにかご戸１４を開放する（Ｓ２）。そして、その出し入れ口７及び開口１３を通してかご２内に荷物を搬入する（Ｓ３）。
【００２５】
次に、かご戸１４の戸板１６ａ，１６ｂを互いに接近する方向に移動して閉合する（Ｓ４）。この閉合に応じてロック機構２６のロックレバー２７が回動し、係合部３２が係合体２８に係合してかご戸１４の閉合がロックされる（Ｓ５）。この後、出し入れ戸８を閉合して出し入れ口７を閉じる（Ｓ６）。
【００２６】
次に、荷物の搬送先に対応する行先階ボタン１１を操作する（Ｓ７）。この操作に応じてかごが搬送先である目的階に向って移動し、その目的階で停止する（Ｓ８）。かご２の移動中に、かご２内の荷物が荷崩れを起してかご戸１４に衝突するようなことがあっても、そのかご戸１４の戸板１６ａ，１６ｂの相互がロック機構２６によりロックされているから、その衝突の衝撃などでかご戸１４が開くようなことがなく、したがってかご２を何ら支障なく運転することができる。
【００２７】
かご２が目的階で停止した後には、その目的階における出し入れ戸８を開放し（Ｓ９）、かご戸１４のロック機構２６を操作してかご戸１４のロックを解除し（Ｓ１０）、そのかご戸１４を開放する（Ｓ１１）。そしてかご２内の荷物を開口１３及び出し入れ口７を通して目的階に搬出する（Ｓ１２）。この後、かご戸１４を閉合し、ロック機構２６を動作させてかご戸１４をロックし、さらに出し入れ戸８を閉合する（Ｓ１３）。これにより荷物の搬送作業が終了する。
【００２８】
このように、この発明の実施形態によれば、かご２の移動中におけるかご戸１４の不用意な開きを的確に防止でき、したがってかご２内で荷崩れなどが生じることがあっても常にかご２を支障なく運転することができる。
【００２９】
なお、以上において説明したこの発明の実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３０】
１…昇降路
２…かご
５…巻上機
６…制御盤
７…出し入れ口
８…出し入れ戸
８ａ．８ｂ…戸板
９…操作盤
１０…かご呼びボタン
１１…行先階ボタン
１２…かご位置表示パネル
１３…開口
１４…かご戸
１５…枠体
１６ａ．１６ｂ…戸板
２１…滑車
２２…ワイヤ
２６…ロック機構
２７…ロックレバー
２８…係合体
３０…ピン
３１…操作部
３２…係合部
３２ａ…傾斜縁
３４…スプリング
３５…ストッパ
【図１】
0005844053.tif 000002
【図２】
0005844053.tif 000003
【図３】
0005844053.tif 000004
【図４】
0005844053.tif 000005
【図５】
0005844053.tif 000006